(57)【要約】      （修正有）【課題】底面部を、黒ずむ微生物が住みにくい環境にして清潔に保つゴミ箱を提供する。【解決手段】上面開口部７と底面部２とからなる筒状８のゴミ箱１において底面部２を中央部４４から外側部３に向かって湾曲４させ形成すると共に、上面開口周部１９または外側周面６に少なくとも一か所以上のゴミ袋開口部縁を留める為の留め手段１０を介する形状部を有すことを特徴とする。【選択図】図１
0003199589.tif 000002
【実用新案登録請求の範囲】
【請求項１】
上面開口部（７）と底面部（２）とからなる筒状（８）のゴミ箱（１）
において前記底面部（２）を中央部（４４）から外側部（３）に向かって
湾曲（４）させ形成すると共に前記上面開口周部（１９）または外側周面
（６）に少なくとも一か所以上のゴミ袋開口部縁を留める為の該留め手段
（１０）を介する形状部を有すことを特徴とするゴミ箱。
【請求項２】
前記底面部と外側部の中間を離間させ空洞室を設けると共に前記外
側部に孔を形成し、該孔に開閉可能な蓋を設けたことを特徴とする請
求項１記載のゴミ箱。
【請求項３】
前記空洞室に係る外側周面に孔を設けたことを特徴とする請求項２記
載のゴミ箱。
【請求項４】
前記外側周面に係る孔にゴム栓を着脱可能に設けると共に該ゴム栓の
側面中央部に係るように少なくとも一つ以上切り込み孔を設けたことを
特徴とする請求項３記載のゴミ箱。
【請求項５】
前記切り込みをゴム栓の中央部でそれぞれの線が交わるプラス形で形
成したことを特徴とする請求項４記載のゴミ箱。
【請求項６】
前記空洞室に複数のゴミ袋を設け、それぞれの該ゴミ袋を切り離す手段
を介して繋げ山折谷折のそれぞれを交互に重ね収納したことを特徴とす
る請求項１乃至５のいずれか一項に記載のゴミ箱。
【請求項７】
前記開閉可能な蓋を上面を開放する容器とすると共に前記外側部に係
る孔を外側周面として形成し該孔から前記容器を着脱可能且該容器の中
央外周面にフック形状凹み溝を形成すると共に前記容器と筒状を係止手
段を介して該容器を筒状に留めることを特徴とする請求項２記載のゴミ
箱。
【請求項８】
前記係止を弾性手段を介する少なくとも一つ以上の凹凸を前記容器と
筒状に振り分け形成し該凹凸で係合させ留めることを特徴とする請求項
７記載のゴミ箱。    
【請求項９】
前記留め手段を筒状に係る外側周面から離間するように上面開口周部
の少なくとも一部から下方向に曲がる曲部を与える形成としたことを特
徴とする請求項１乃至８のいずれか一項に記載のゴミ箱。
【請求項１０】
前記曲部の中央部または該曲部に少なくとも一つ以上の切り込みを入
れたことを特徴とする請求項９記載のゴミ箱。
【請求項１１】
前記切り込み縁を該切り込みを残すように防水性を有す伸縮可能な手
段を介して形成したことを特徴とする請求項１０記載のゴミ箱。
【請求項１２】
前記切り込みに着脱可能な箒を設けたことを特徴する請求項１１記載
のゴミ箱。
【請求項１３】
前記切り込みを孔として形成したことを特徴とする請求項９乃至１２
のいずれか一項に記載のゴミ箱。
【請求項１４】
前記曲部の内側に指をかけやすい波状凹凸で形成する取手としたこと
を特徴とする請求項９乃至１３のいずれか一項に記載のゴミ箱。
【請求項１５】
前記取手の少なくとも一部に防水性を有す軟質部材を設けたことを特
徴とする請求項１４記載のゴミ箱。
【請求項１６】
前記底外側部面積に対し上面開口面積を広くして筒状を形成したこと
を特徴とする請求項１乃至１５のいずれか一項に記載のゴミ箱。
【請求項１７】
前記筒状の内側の少なくとも一部に滑材を有すことを特徴とする請求
項１乃至１６のいずれか一項に記載のゴミ箱。
【請求項１８】
前記取手サイドからほぼ付近の離間部に少なくとも一つ以上のフック
を設けたことを特徴とする請求項１乃至１７のいずれか一項に記載のゴ
ミ箱。
【請求項１９】
前記底面中央部または前記筒状の下方部に孔を設けると共に該孔を開
閉可能な防水手段を介する蓋を着脱自在に設けたことを特徴とする請求
項１乃至１７のいずれか一項に記載のゴミ箱。
【請求項２０】
前記防水を介する蓋をゴムとしたことを特徴とする請求項１９記載の
ゴミ箱。
【請求項２１】
前記底面外側部を角形としたことを特徴とする請求項１乃至２０のい
ずれか一項に記載のゴミ箱。
【請求項２２】
前記筒状を多面体としたことを特徴とする請求項１乃至２１のいずれ
か一項に記載のゴミ箱。
【請求項２３】
前記多面体をそれぞれの面が合わさる内側コーナー部を中央部から外
側に向かって湾曲させ形成したことを特徴とする請求項２２記載のゴミ
箱。
【請求項２４】
前記底面外側部を円形で形成したことを特徴とする請求項１乃至２３
のいずれか一項に記載のゴミ箱。
【請求項２５】
前記底面外側部を楕円体で形成したことを特徴とする請求項１乃至２
４のいずれか一項に記載のゴミ箱。
【請求項２６】
前記ゴミ箱のそれぞれの方向幅からなる該幅の一方向を長くしたこと
を特徴とする請求項１乃至２５のいずれか一項に記載のゴミ箱。
【請求項２７】
前記底面部またはそれぞれのコーナーの少なくとも一つを最も厚い肉
厚部とすることを特徴とする請求項１乃至２６のいずれか一項に記載の
ゴミ箱。
【請求項２８】
前記筒状を前記底面外周端部から同一方向またはほぼ同一方向に立ち
上がる少なくとも一つ以上の外側周面を有すことを特徴とする請求項１
乃至２７のいずれか一項に記載のゴミ箱。
【請求項２９】
前記留め手段をゴミ袋開口縁を挟み込む部材としたことを特徴とする
請求項１乃至２８のいずれか一項に記載のゴミ箱。
【考案の詳細な説明】
【技術分野】
【０００１】
本考案はそのゴミ箱を使用する上でそのゴミ袋の取付け、該取付け安定、
ゴミ箱の立体補強、転倒防止、そのゴミ袋取付け安定から該ゴミ袋の取り
外し、ゴミを集積場に捨てる工程、そのゴミ箱の洗浄面となるそれぞれの
ゴミに係る作業や使用において、できる限りコストを抑え消費者が購入し
やすいそれぞれをスムーズに行えるような部材を形成するものとなりまず
特にそのゴミ箱底面部を中央から外側部に向かって湾曲させる該湾曲によ
りそのゴミ箱底面内は角を有すこととしない曲線面となることにより日々
蓄積していくゴミの目詰りを防止する形状となりその目詰りを防止するこ
とによるその蓄積したゴミの腐敗によるカビまたは微生物の発生を減退さ
せ該減退によるその微生物が放つ悪臭を抑え常に清潔感のある人々の健康
状態を良好に保ち使用することができるものとなりまたそのゴミ箱の多く
は長さを有す筒状で形成される為思うようにそのゴミ箱底面部迄手を伸し
ずらく該底面内部洗浄を簡易に行う形状としてその湾曲形状滑面を該洗浄
スポンジを軽快に滑らせその洗浄を楽しむことができる形状となり次にそ
の底面内部は該底面中央部から外側部に向かって湾曲させるその外側形状
の仮にほぼ平面部と該平面部に向かってその底面内側面を湾曲させる為そ
の外側と内側のそれぞれ異なる形状が合わさることによりその底面部に該
合さる肉厚またはそれぞれの面が合わさる離間空洞室を形成し該肉厚やそ
のそれぞれの複数面が合わさるイコールそれぞれの部材の肉厚集固または
該肉厚集結部となる為そのゴミ箱を底面方向に重心を与えることにより該
ゴミ箱は多少の衝撃では倒れにくいものとなり尚そのゴミ箱に該ゴミを捨
てるその塵は湾曲となる中心部に集まりやすいゴミが偏りにくいものとな
り仮に野菜等の生ゴミは多少重量を有す為その中央にゴミが行きやすいま
たは該ゴミ重量がその方向に傾きやすいものとすることによりそのゴミ袋
を安定して取り出しやすいまたは安定して運びやすいことへと変えていく
ものとなりまたその底面肉厚またはその離間空洞室のそれぞれ上下の面に
よりそのゴミ箱に耐久性を与え角を有さない該角によるゴミの目詰りを防
ぐ滑らかな湾曲耐久方法面を介することができるものとなり更にそのゴミ
箱に使用頻度性の高めなゴミ袋をそのゴミ箱に係る開口部を筒状の上面と
することによりゴミ袋を取り付けやすい且取り出しやすいものとすると共
にそのゴミ箱にゴミ袋を取付け該ゴミ袋開口縁を少なくとも一つ以上のゴ
ミ箱からなる上面開口付近の留め手段を介して一時留めることができるも
のとすることによりそのゴミ袋内の開口部を開いた状態で保ちやすい形成
となりその留めるイコール仮に接着留めとは異なる一時的に固定するもの
となる為該固定はそのゴミ袋開口縁を外しやすくそのゴミ袋を軽く引っ張
るだけでそのゴミを取りだし捨てやすいものとしそれぞれの形成により文
頭で示すゴミに係る作業や使用においてそれぞれを一貫してそのゴミ箱に
係る一連の流れをスムーズに行えやすくするものとなる。
【背景技術】
【０００２】
そのゴミ箱は特に底面外側部が平面を有し該底面外周端部から立ち上が
る側面を有す為そのゴミ箱に係る筒状の狭い空間に手を入れてその底面内
部を洗浄することが困難であり該底面内部はほぼ平面で形成させることに
よるその洗浄スポンジ等を軽快に滑らせることが難しくまたその底面外周
端部から立ち上がる側面とほぼ直角に近いコーナーを有す為該コーナー
にゴミの細かい塵が蓄積していき該蓄積によるカビまたは微生物の繁殖に
よる衛生において低下する面がありそのゴミ箱を日々除きこんでも変わら
ず黒ずみがある状態となっておりまたその底面外周端部にそのゴミ箱を補
強する角を有す複数の突出部があることにより該補強をなすがその突起な
る角は細菌が溜まりやすくまた洗浄しにくい補強突起部となり尚そのゴミ
箱はほぼ均等に重量を配分させる形成となるその底面積で支える形状が多
い為そのゴミ箱は少しの接触により転倒しやすいものとなりまたそのゴミ
箱を使用する上でそのゴミ袋の取付け、該取付け安定、ゴミ箱の立体補強、
転倒防止、そのゴミ袋取付け安定から該ゴミ袋の取り外し、ゴミを捨てる
工程、そのゴミ箱の洗浄面となるそれぞれのゴミに係る作業や使用にかか
るそれぞれを関連させてスムーズに行えない面があるそれらの問題点があ
った。
【先行技術文献】
【特許文献】
【０００３】
【特許文献１】特開２００３−１４６４０４号公報
【考案の概要】
【考案が解決しようとする課題】
【０００４】
そのゴミ箱を使用する上でそのゴミ袋の取付け、該取付け安定、ゴミ箱
の立体補強、転倒防止、そのゴミ袋取付け安定から該ゴミ袋の取り外し、
ゴミを捨てる工程、そのゴミ箱の洗浄面となるそれぞれのゴミに係る作業
や使用にかかるそれぞれを関連させてスムーズに行うことができるように
する為特にそのゴミ箱の洗浄に係るカビや微生物が蓄積していきやすいゴ
ミ箱内部形状を改善していく為本考案はそのゴミ箱を使用する上で該ゴミ
箱のほぼ使用工程順に記していくものとなるがまずそのゴミ箱に係る該ゴ
ミを捨てる開口部を上面とすることによりゴミ袋使用者は取付けやすく行
うことができまたそのゴミ袋開口縁を開いた状態を維持しやすいゴミ袋の
取付けを安定させる為そのゴミ箱に係る開口周部付近に少なくとも一つ以
上のそのゴミ袋の開口縁を留める該留め手段を介する部材を設けることに
よりそのゴミ袋開口部は開いた状態を維持しやすいものとしまたそのゴミ
箱からなる筒状を壊れにくいものへと耐久性を高める為にそのゴミ箱に係
る内部底面部を外側部に向かって湾曲させるその明らかに異なるそれぞれ
の底面部に係る内側湾曲形状と外側形状のそれぞれの形状の合わさりによ
り仮に該合さる肉厚が形成されることにより該肉厚が増すイコールその厚
みによる耐久性が増しそのゴミ箱は壊れにくいものとなりその耐久を有す
形状は内側面に角を有すこととしない滑らかな湾曲形状部となりまたその
厚みによる肉厚が増すという重みによりそのゴミ箱全体のほぼ均一な重量
対し該重量比率を下方なるその底面方向部に集めることによりそのゴミ箱
は少しの衝撃でも転倒しにくいものとなりまたそのゴミ箱からゴミ袋を取
り出しゴミを捨てる際にそのゴミ袋を安定させるその留め手段を介する部
材から該留めイコール仮に接着のような固定とは異なる一時留める固定と
する為そのゴミ袋の縁は軽く引き抜くだけで簡単に取れるものとなりまた
そのゴミ箱は内側底面部を中央部から外側部方向に向かって湾曲させる形
状とする為少し重さのある野菜くずやゴミの塵がその底面内中央部に集ま
りやすい形成となる為そのゴミ袋内部にあるゴミの偏りをなくしそのゴミ
袋を取り出しやすい且ゴミ集積場に運びやすい形成としまたそのゴミ箱の
洗浄に係るそのゴミ箱筒状は仮にゴミ箱方向に長い長さまたは小容積とな
る幅の小さい空間部を有しその底面内部に手を入れにくい該空間とする為
その底面部を湾曲形状面とすることにより該形状による滑度を与え洗浄ス
ポンジを滑降するようなイメージで該洗浄を軽快に楽しみながら行うこと
ができるものとしまたその内側湾曲底部により黒ずみとして残りやすいゴ
ミの細かい塵を蓄積していくことを防ぐと共に該蓄積を防ぐことによりそ
のゴミの腐敗によるカビ且微生物の繁殖を減退させるものとなり尚該減退
と比例させその微生物が放つ悪臭を抑えるものとする。
【課題を解決するための手段】
【０００５】
本考案１は
上面開口部と底面部とからなる筒状のゴミ箱において前記底面部を中央
部から外側部に向かって湾曲させ形成すると共に前記上面開口周部また
は外側周面に少なくとも一か所以上のゴミ袋開口部縁を留める為の該留
め手段を介する形状部を有すことを特徴とするゴミ箱を提供。
【０００６】
本考案２は
前記底面部と外側部の中間を離間させ空洞室を設けると共に前記外側部
に孔を形成し、該孔に開閉可能な蓋を設けたことを特徴とするゴミ箱を提
供。
【０００７】
本考案３は
前記空洞室に係る外側周面に孔を設けたことを特徴とするゴミ箱を提供。  
【０００８】
本考案４は
前記外側周面に係る孔にゴム栓を着脱可能に設けると共に該ゴム栓の側
面中央部に係るように少なくとも一つ以上切り込み孔を設けたことを特
徴とするゴミ箱を提供。
【０００９】
本考案５は
前記切り込みをゴム栓の中央部でそれぞれの線が交わるプラス形で形
成したことを特徴とするゴミ箱を提供。
【００１０】
本考案６は
前記空洞室に複数のゴミ袋を設け、それぞれの該ゴミ袋を切り離す手段
を介して繋げ山折谷折のそれぞれを交互に重ね収納したことを特徴とす
るゴミ箱を提供。
【００１１】
本考案７は
前記開閉可能な蓋を上面を開放する容器とすると共に前記外側部に係
る孔を外側周面として形成し該孔から前記容器を着脱可能且該容器の中
央外周面にフック形状凹み溝を形成すると共に前記容器と筒状を係止手
段を介して該容器を筒状に留めることを特徴とする請求項２記載のゴミ
箱。
【００１２】
本考案８は
前記係止を弾性手段を介する少なくとも一つ以上の凹凸を前記容器と筒
状に振り分け形成し該凹凸で係合させ留めることを特徴とするゴミ箱を
提供。
【００１３】
本考案９は
前記留め手段を筒状に係る外側周面から離間するように上面開口周部の
少なくとも一部から下方向に曲がる曲部を与える形成としたことを特徴
とするゴミ箱を提供。
【００１４】
本考案１０は
前記曲部の中央部または該曲部に少なくとも一つ以上の切り込みを入
れたことを特徴とするゴミ箱を提供。
【００１５】
本考案１１は
前記切り込み縁を該切り込みを残すように防水性を有す伸縮可能な手
段を介して形成したことを特徴とするゴミ箱を提供。
【００１６】
本考案１２は
前記切り込みに着脱可能な箒を設けたことを特徴するゴミ箱を提供。
【００１７】
本考案１３は
前記切り込みを孔として形成したことを特徴とするゴミ箱を提供。
【００１８】
本考案１４は
前記曲部の内側に指をかけやすい波状凹凸で形成する取手としたことを
特徴とするゴミ箱を提供。
【００１９】
本考案１５は
前記取手の少なくとも一部に防水性を有す軟質部材を設けたことを特徴
とするゴミ箱を提供。
【００２０】
本考案１６は
前記底外側部面積に対し上面開口面積を広くして筒状を形成したことを
特徴とするゴミ箱を提供。
【００２１】
本考案１７は
前記筒状の内側の少なくとも一部に滑材を有すことを特徴とするゴミ箱
を提供。
【００２２】
本考案１８は
前記取手サイドからほぼ付近の離間部に少なくとも一つ以上のフックを
設けたことを特徴とするゴミ箱を提供。
【００２３】
本考案１９は
前記底面中央部または前記筒状の下方部に孔を設けると共に該孔を開閉
可能な防水手段を介する蓋を着脱自在に設けたことを特徴とするゴミ箱
を提供。
【００２４】
本考案２０は
前記防水を介する蓋をゴムとしたことを特徴とするゴミ箱を提供。
【００２５】
本考案２１は
前記底面外側部を角形としたことを特徴とするゴミ箱を提供。
【００２６】
本考案２２は
前記筒状を多面体としたことを特徴とするゴミ箱を提供。
【００２７】
本考案２３は
前記多面体をそれぞれの面が合わさる内側コーナー部を中央部から外
側に向かって湾曲させ形成したことを特徴とするゴミ箱を提供。
【００２８】
本考案２４は
前記底面外側部を円形で形成したことを特徴とするゴミ箱を提供。
【００２９】
本考案２５は
前記底面外側部を楕円体で形成したことを特徴とするゴミ箱を提供。
【００３０】
本考案２６は
前記ゴミ箱のそれぞれの方向幅からなる該幅の一方向を長くしたこと
を特徴とするゴミ箱を提供。
【００３１】
本考案２７は
前記底面部またはそれぞれのコーナーの少なくとも一つを最も厚い肉
厚部とすることを特徴とするゴミ箱を提供。
【００３２】
本考案２８は
前記筒状を前記底面外周端部から同一方向またはほぼ同一方向に立ち
上がる少なくとも一つ以上の外側周面を有すことを特徴とするゴミ箱
を提供。
【００３３】
本考案２９は
前記留め手段をゴミ袋開口縁を挟み込む部材としたことを特徴とする
ゴミ箱を提供。
【考案の効果】
【００３４】
本考案１は
上面開口部と底面部とからなる筒状のゴミ箱において前記底面部を中央
部から外側部に向かって湾曲させ形成すると共に前記上面開口周部また
は外側周面に少なくとも一か所以上のゴミ袋開口部縁を留める為の該留
め手段を介する形状部を有すことを特徴とする為仮にそのゴミ箱は上面
に開口部を有す為ゴミ袋の使用に適したその筒状に該ゴミ袋の取付けや
ゴミを捨てる取り外しが簡易的に行なえ該簡易形成に伴うそのゴミ箱は
仮にその上面開口部付近とする少なくとも一か所以上にゴミ袋開口部縁
を留める為の該留め手段を介する形状部を設けることによりそのゴミ袋
の取付け後、該ゴミ袋開口部を開いた状態でそのゴミ袋の開口縁をその留
め手段を介する形状部により固定できそのゴミ袋の歪みによるゴミを捨
てにくいという状態を防ぐことが可能な形成としまたそのゴミ袋内に該
ゴミが溜まりそのゴミを捨てる際にその固定した開口縁を該留め手段を
介する形状部の該開口縁を引き抜くだけでその縁が留め部材から外れる
ものとし尚そのゴミ袋開口縁を留めるというそのゴミ箱内のゴミ袋集積
形状をほぼ同じ形に保ち安定させることによりそのゴミ袋が取れること
によるゴミの偏りなるゴミ箱の不安定さをなくし安定させるものとしそ
の少なくとも一つ以上の留め手段はその蓄積していくゴミ傾向による重
量配分をそのゴミ袋がほぼ同一形状に開口して有益に蓄積させまたその
筒状の底面内部の中央部から外側部に向かって湾曲させる形成によりそ
のゴミ袋に係る該ゴミはその中央部が仮に半円に近い湾曲状に凹むこと
によりそのゴミは該中央部に移行しやすい形状とする為そのゴミ袋内の
重量を有す生ゴミ等が一方向に偏ること防ぎやすくしその重量による釣
り合いによりそのゴミ箱は該ゴミが蓄積しても安定を損ねにくいものと
し更にそのゴミを捨てる際に重量の釣り合いを安定させ持ちあげやすく
且持ち運びを安定させそのゴミを持ち運び捨てやすい形状としまたその
ゴミ箱の該安定を前記釣り合いと共にそれぞれの形成面を向上させる為
にそのゴミ箱に係る底外側部を該ゴミ箱接地平面個所に当接させやすい
仮にほぼ平面形状と共にその該形状と明らかに異なるその底面内側を湾
曲させるそれぞれの底面形状が重なり形状化することにより肉厚または
離間なる空洞室が形成され該肉厚やそれぞれ空洞室に係る二重の底面に
よる重み比重をそのゴミ箱からなる下部方向側に偏らせ形成することに
よりそのゴミ箱に多少の接触衝撃を与えても転倒せずに安定を維持する
ものとし尚その重量肉厚部は滑らかな角を有すこととしない湾曲補強内
部形状となり従来ゴミ箱内側底面外周端部から突起物が突出している角
を有す補強突出を滑らかな掃除を行いやすい湾曲補強形状としそれぞれ
の形状の組み合わせはそのゴミ袋の取付け、該取付け安定、ゴミ箱の立体
補強、転倒防止、そのゴミ袋取付け安定から該ごみ袋の取り外し、ゴミを
捨てる工程、そのゴミ箱の洗浄面となるそれぞれのゴミに係る作業を如何
にスムーズに行なえ関連させる形成とすることを重点に置き形成してい
くものとし特にその底面内部を湾曲形成とする該形成作用性はゴミの目
詰りを防止する滑らかな底面内側湾曲部となりその目詰りに伴う細菌や
カビの繁殖防ぎそれぞれの微生物は埃のような軽量生物となる為部屋空
間内に舞いやすく常日頃の健康状態を良好に維持していく形成となりま
たそれぞれの微生物が放つ悪臭をその微生物の減退率と比例させ軽減さ
せるものとし尚その底面湾曲上は手の入りくい短い容積を有さない部材
とは異なる該容積を必要不可欠な空間長さを有す場合が多く該長さによ
る力を掛けにくい筒状底面内部を平面で形成するより明らかに洗浄スポ
ンジ等が滑降するイメージで力をあまり掛けることなく湾曲形状法則面
を利用して内部洗浄をスムーズにゴミ箱洗浄を楽しむものとしまたその
ゴミ箱はゴミ袋使用しなくても衛生面を保つことができる形成となる。
【００３５】
本考案２は
前記底面部と外側部の中間を離間させ空洞室を設けると共に前記外側部
に孔を形成し、該孔に開閉可能な蓋を設けたことを特徴とする為その蓋を
開けることによりその空洞室でゴミ箱の使用に繋がるものや身近に置き
たいものを収納することができる空間部となりまた該空間になることに
よるそのゴミ箱に適する重さを調節できるものとしその底面部と外側部
の二重の重みとなりゴミ箱下部方向に重心率を与えゴミ箱を倒れにくい
形成となり尚その収納物による重さでもその重心を保てる形成となる。
【００３６】
本考案３は
前記空洞室に係る外側周面に孔を設けたことを特徴とする為その空洞室
に収納する部材をその外側周面に係る孔により取りだすことができその
収納部材の一例として箒または雑巾等がある。
【００３７】
本考案４は
前記外側周面に係る孔にゴム栓を着脱可能に設けると共に該ゴム栓の側
面中央部に係るように少なくとも一つ以上切り込み孔を設けたことを特
徴とする為その切り込みは仮に一つであればゴミ袋等の薄い部材は引っ
掛かりやすくとりやすいものとなりバツ印以上のコメ印形状のような複
数の切り込み孔を設けることによりその孔の開口面積の調節によりその
孔に手を入れて収納物を取りだすことができる。
【００３８】
本考案５は
前記切り込みをゴム栓の中央部でそれぞれの線が交わるプラス形で形成
したことを特徴とする為その切り込みをゴム栓の中央部でそれぞれの線
が交わるプラス形で形成したことによりその中央部から身近な必需品を
入れる空洞室に手を入れてものを取りだすことやまた複数のゴミ袋を一
枚ずつ取りやすいものとなる。
【００３９】
本考案６は
前記空洞室に複数のゴミ袋を設け、それぞれの該ゴミ袋を切り離す手段
を介して繋げ山折谷折のそれぞれを交互に重ね収納したことを特徴とす
る為そのゴミ箱に係る空洞室に複数のゴミ袋を設けることにより上記ゴ
ム栓部分の切り込みから替えのゴミ袋をすぐ取り出せるものとなり尚そ
の山折谷折のそれぞれを交互に重ね収納したことによりそのゴミ袋の取
付手段を介することなく取付けが簡易的にできる。
【００４０】
本考案７は
前記開閉可能な蓋を上面を開放する容器とすると共に前記外側部に係
る孔を外側周面として形成し該孔から前記容器を着脱可能且該容器の中
央外周面にフック形状凹み溝を形成すると共に前記容器と筒状を係止手
段を介して該容器を筒状に留めることを特徴とする為そのゴミ箱の下方
部となる空洞室内に物を入れる為の孔に係る開閉可能な蓋を上面を開放
する容器として形成することによりその容器に身近に使用したい小物品
の入れておくことができそのゴミ箱は生活場所から身近にある部材とな
りやすい為その小物を使いたい時にスムーズに取りだすことができまた
その小物の重量によりゴミ箱は底面部に重心比率を高める為倒れにくい
形成とすることができまたその容器は外側周面から取りだす着脱可能且
該容器の中央外側面にフック形状凹み溝を形成したことによりそのゴミ
箱周面から突出することとしない邪魔にならないその溝によりと容器を
引き出しのように引きやすくまたは収納しやすい形成となり尚その容器
をそのゴミ箱に係る筒状に係止手段を介して一時該容器を筒状に留める
ことが可能な形成によりその容器は筒状に一時留め固定されそのゴミ箱
を持ちあげても取れくい形成となる。
【００４１】
本考案８は
前記係止を弾性手段を介する少なくとも一つ以上の凹凸を前記容器と筒
状に振り分け形成し該凹凸で係合させ留めることを特徴とする為そのゴ
ミ箱下方部に係る筒状に係止する収納容器を該係止手段を弾性手段を介
する少なくとも一つ以上の凹凸を前記容器と筒状に振り分け形成し該凹
凸で係合させ留めることにより仮にその凸部を弾性体として容器に形成
してその凸部と係合させる凹部をそのゴミ箱に係る筒状に設けることに
よりその凸部はその凹部に合さる為の伸縮をする為そのゴミ箱に係る筒
状にその容器を確実に係止できるものとなり尚その弾性手段を介する該
弾性部材は伸縮をなすが仮にゴムで示すと硬度は伸縮部材の中では硬い
方である為その弾性体は壊れにくく伸縮効果を長期継続できるものとな
る。
【００４２】
本考案９は
前記留め手段を筒状に係る外側周面から離間するように上面開口周部の
少なくとも一部から下方向に曲がる曲部を与える形成としたことを特徴
とする為そのゴミ箱内に取りつけるゴミ袋を留める為の手段を開口周部
の少なくとも一部から下方向に曲がる曲部を与える形成としたことによ
りその少なくとも一部の曲部によりゴミ袋を掛け留めやすい形成とし尚
その留め手段を簡易に形成することができる。
【００４３】
本考案１０は
前記曲部の中央部または該曲部に少なくとも一つ以上の切り込みを入
れたことを特徴とする為曲部の中央部また該曲部に少なくとも一つ以
上の切り込みを入れたことにより該切り込みにゴミ袋開口縁を差し込み
留めることができ尚その切り込みは簡易形成となる為コストを抑えるこ
とができまたその切り込みにゴミ袋且雑巾等をそれぞれの切り込みに差
し込み干すことができる。
【００４４】
本考案１１は
前記前記切り込み縁を該切り込みを残すように防水性を有す伸縮可能
な手段を介して形成したことを特徴とする為そのゴミ箱開口周部に係る
上記曲部に係る切り込み縁を該切り込みを残すように防水性を有す伸縮
可能な手段を介して形成する該伸縮可能な手段部材が伸縮することによ
りその該伸縮する切り込みにゴミ袋を差し込みやすく形成すると共に取
れ難いものとなりまた形成の使用方法としてゴミ袋開口縁を差し込みそ
の差し込む一部縁をその曲部の内側で左右同時に引っ張り留めるものと
なり簡易形成でありながら確実にそのゴミ袋を留めることができるもの
となり尚その防水性を有す伸縮可能な手段部材は仮に発砲ゴムまたは多
孔質部材の表面に肉厚の薄い樹脂シート等を被覆することもできる。
【００４５】
本考案１２は
前記切り込みに着脱可能な箒を設けたことを特徴する為前記伸縮変形作
用面となる切り込みに着脱可能な箒を設けることより飲食等生活する上
で常に細かいゴミが机上もしくは床等に積もる為該積もるゴミをそのゴ
ミ箱から着脱可能な箒により掃きとることができるものとし尚その切り
込み縁を伸縮可能な手段を介する形状部とする為該形状部の伸縮により
取りだしやすく一時固定しやすい形成となる。
【００４６】
本考案１３は
前記切り込みを孔として形成したことを特徴とする為その切り込みを孔
としたことによりその孔は一つ以上の箇所とすることやまた該孔周部縁
に伸縮可能な手段部材が形成することができ尚その孔は曲部面となる為
該曲部に有すその孔にゴミ袋開口縁一部を差し込むことによりその孔の
開口広さに対して軽く留めることからまたは強めに留めることでき該強
めの一例としてそのゴミ箱外側周面の肉厚方向に対し３ミリ幅の孔を形
成するとそのゴミ袋開口縁を多く見て１ミリとするとその３ミリ幅孔に
入りやすく且その開口縁は徐々に歪みなる厚みを生じる為該３ミリに留
まりやすいものとなり更にその３ミリ孔よりゴミ袋開口縁を入りやすく
する為そのゴミ箱外側周面の肉厚方向に対し５ミリから１センチとして
その孔を形成し該孔周部縁に該孔の中央部に切り込みを有すように伸縮
可能な部材を設けることによりその孔幅が広くてもその伸縮部材により
確実な係止状態で留めることができまたその孔を複数として形成する場
合まずその一つ目の孔にゴミ袋開口縁を差し込みその曲部の内側に係る
該開口縁をもう一方の孔に差し込むことによりそれぞれの孔を介するそ
の開口縁は確実な係止状態で留めることができようになりそれぞれの形
成は任意の形や企画で作ることができその他その孔形成以外は図面で規
定または一例で示すものとなる。
【００４７】
本考案１４は
前記曲部の内側に指をかけやすい波状凹凸で形成する取手としたことを
特徴とする為その下方に曲がる曲部は仮にゴミ袋を取り付ける為の取手、
持ち上げ洗浄する為の取手、ほうきや雑巾またはゴム手袋をかける為の
取手となりその取手に係る曲部の内側に指をかけやすい波状で形成する
ことにより箱の持ち易さイコールゴミの捨てやすさ並びに該ゴミ箱の洗
浄のしやすさのそれぞれに繋げることができる。
【００４８】
本考案１５は
前記取手の少なくとも一部に防水性を有す軟質部材を設けたことを特徴
とする為前記本考案１３で示すゴミ箱意向操作をその取手に軟質部材の優
しい感触を与え該操作に違和感を与えにくい手に喜びを与える形成とし尚
その軟質部材を防水性を有すことによりそのゴミ箱を水洗いしても濡れな
い軟質部材となる。
【００４９】
本考案１６は
前記底外側部面積に対し上面開口面積を広くして筒状を形成したことを
特徴とする為その底外部面積に対し上面開口面積を広くして筒状を形成
したことにより該上面開口面積の広さを利用してゴミ箱の内側を洗浄し
やすい形状に繋がる形成となる。      
【００５０】
本考案１７は
前記筒状の内側の少なくとも一部に滑材を有すことを特徴とする為その
ゴミ箱底面部を湾曲する内面や内周面に滑材を有すことにより汚れにく
いゴミ箱となると共に洗浄剤と共に汚れが滑るものとし清潔なゴミ箱形
成ができるものとなる。
【００５１】
本考案１８は
前記取手サイドからほぼ付近の離間部に少なくとも一つ以上のフックを
設けたことを特徴とする為その取手の突出高さと共に該高さサイドから
ほぼ付近の離間部に突出高さを有すこととなるフックを設けることによ
りそれぞれの高さを連ねることによりそのゴミ箱を持つ時は邪魔にな
ることなくまたそのゴミ箱の使用時もまたそのフック高さが邪魔になら
ないそれぞれの高さを近距離同一面に形成したものとしそのフックには
使用頻度の高めな小箒または車のカギ等を使用者の好みに合わせて掛け
て収納させることが可能となる。
【００５２】
本考案１９は
前記底面中央部または前記筒状の下方部に孔を設けると共に該孔を開閉
可能な防水手段を介する蓋を着脱自在に設けたことを特徴とする為その
ゴミ箱に係る洗浄した水をその筒状の下方部となる防水手段を介する蓋
をその孔から外すことにより該孔により水が流れる仕組みとしてゴミ箱
洗浄を快適に行えるものとし尚該洗浄後その孔に防水手段を介する蓋を
取り付けることにより塵に係る水等を外部に流さない形成となる。
【００５３】
本考案２０は
前記防水を介する蓋をゴムとしたことを特徴とする為そのゴミの壊れに
くい伸縮部材の中で丈夫な該部材と共にそのゴムの変形作用を利用して
その防水を確実なものとする。
【００５４】
本考案２１は
前記底面外側部を角形としたことを特徴とする為該角形底面外側部とす
ることによりその角形のそれぞれの角により安定させやすいゴミ箱とな
り仮に本考案１のその底面部を中央部からその外側部に向かって湾曲さ
せる形成を合わせることによりそのゴミ箱内側底面部は滑らかなその湾
曲面となり且安定する。
【００５５】
本考案２２は
前記筒状を多面体としたことを特徴とする為そのゴミ箱に係る面を複数
の面を有する形成により安定感が得られやすい形成となる。
【００５６】
本考案２３は
前記多面体をそれぞれの面が合わさる内側コーナー部を中央部から外側
に向かって湾曲させ形成したことを特徴とする為その多面体内部はそれ
ぞれの面の外周端部が重なりあう複数の屈折もしくは角度満たない曲線
等を滑らかな湾曲として形成することすることにより水洗いがしやすい
ゴミ箱形成となりまたその外側コーナー形状と内側コーナー湾曲形状の
それぞれ異なる形状の合わさりによる肉厚を形成する為外肉厚によるそ
のゴミ箱の補強部となる。
【００５７】
本考案２４は
前記底面外側部を円形で形成したことを特徴とする為その底面外側部を
円状で形成することにより該円は角が無い為邪魔になりにくくそれぞれ
形状による用途の使い分けが拡張するものとなる。
【００５８】
本考案２５は
前記底面外側部を楕円体で形成したことを特徴とする為その底面外側部
を楕円体で形成したことによりデスク脇の細い場所等に入れて使用する
ことができる。
【００５９】
本考案２６は
前記ゴミ箱のそれぞれの方向幅からなる該幅の一方向を長くしたこと
を特徴とする為そのゴミ箱の幅とする一方向を長くしたことにより該長
さによる容積の確保と共にデスク脇の細い場所等に入れて使用すること
ができその長さは底面から上面にかける高さなる幅や横幅もしくは縦幅
等がある。
【００６０】
本考案２７は
前記底面部またはそれぞれのコーナーの少なくとも一つを最も厚い肉厚
部とすることを特徴とする為その最高肉厚部によりそのゴミ箱それぞれ
の面をそのコーナーで補強するものとなる。
【００６１】
本考案２８は
前記筒状を前記底面外周端部から同一方向またはほぼ同一方向に立ち上
がる少なくとも一つ以上の外側周面を有すことを特徴とする為その底面
外周端部から同一方向またはほぼ同一方向に立ち上がる少なくとも一つ
以上外側周面とすることによりそのゴミ箱からなる立体は安定しやすい
ものとなる。
【００６２】
本考案２９は
前記留め手段をゴミ袋開口縁を挟み込む部材としたことを特徴とする為
そのゴミ袋開口縁を挟み込む部材とすることによりスムーズにその開口
縁を留めることができ且ゴミ袋は取れにくいとなる。
【図面の簡単な説明】
【００６３】
【図１】本考案に係るゴミ箱の正面図。
【図２】形成一例概略図。
【図３】形成一例概略図。
【図４】形成一例概略図。
【図５】形成一例概略図。
【図６】形成一例概略図。
【図７】形成一例概略図。
【図８】形成一例概略図。
【図９】形成一例概略図。
【考案を実施するための形態】
【００６４】
以下、本考案の好適な実施例を図面に基づいて説明する。
【００６５】
図１は本考案に係る統合する耳掻きの一例を示す正面図である。
【００６６】
図１は上面開口部７と底面部２とからなる筒状８のゴミ箱１において前
記底面部２を中央部４４から外側部３に向かって湾曲４させ形成すると共
に前記上面開口周部１９または外側周面６に少なくとも一か所以上のゴミ
袋開口部縁を留める為の該留め手段１０を介する形状部を有すことを特徴
とすることを示しそのゴミ袋の取付け、該取付け安定、ゴミ箱１の立体補
強、転倒防止、そのゴミ袋取付け安定から該ゴミ袋の取り外し、ゴミを集
積場に捨てる工程、そのゴミ箱１の洗浄面となるそれぞれのゴミに係る作
業や使用においてそれぞれの該作業をスムーズに行えるようにすると共に
またそのゴミ箱１の使用面を友好的な該使用となるように形成したものと
なりまずそのゴミ箱１の開口部７は上面となる為ゴミ袋を取り付けやすい
形成とし該ゴミ袋を取付け、該取付けからその上面開口周部１９または外
側周面６に少なくとも一か所以上のゴミ袋開口縁を留める為の該留め手段
１０を介する形状部を有すことによりそのゴミ袋開口縁をその留め手段１
０により該ゴミ袋開口部を開いた状態でそのゴミ袋を使用することができ
そのゴミ袋の取付けを安定させるものとすると共にそのゴミ袋開口縁を留
めるという該ゴミ袋が取れることによるそのゴミ箱の安定性を失いにくい
ものとし該安定からその筒状８からなるゴミ箱１底面部２を中央部４４か
ら外側部３に向かって湾曲４させることによりそのゴミ袋内に蓄積してい
く仮に野菜くずや御飯粒等のやや重い塵はその湾曲４中央部４４に該湾曲
４滑面を介して偏りやすくなりそのゴミ重量は軽重量等のゴミが重なり人
が重いと感じる該重量となりやすくそのゴミ箱１の一方側に重量が傾くこ
とを防ぎ安定性を保ちそのゴミ袋内のゴミを捨てるそのゴミ箱１からの取
り外しをそのゴミ袋の持つ手のゴミ袋中央部直線状にそれぞれの重みを集
めることによりそのゴミ袋はスムーズ取り外すことができまたそのゴミ重
量の係るゴミ袋を安定した状態で集積場に持ち運ぶことができ特にそのゴ
ミを捨てるあとにその中央図から右墨矢印や左墨矢印で示すそのゴミ箱１
を洗浄する該洗浄をそのゴミ箱１底面内部を湾曲４面とすることにより該
湾曲４面は角を有すことなくその洗浄スポンジを滑降するイメージで軽快
に滑らせ該洗浄の大変な作業を楽しみながら行うことができるものとしま
たその湾曲４面は細かい塵の目詰りを防止できる滑らか形状面となる為該
目詰り塵の腐敗による黒ずみとして見える人の器官に悪影響となりやすい
カビや微生物を繁殖を抑え減退させるものとしそのゴミ箱１へゴミ袋の取
付けからその洗浄に至る一連の作業を一貫させスムーズに行うことができ
るものとし更にそのゴミ箱１２に係る底面部２を中央部４４から外側部３
に向かって湾曲４させるその底面部２は外側形状と該底面内側４５形状の
それぞれの異なる形状の合わさりによる該合わさりにより生じる仮に厚い
肉厚を形状化させ該厚い肉厚イコールその底面部２に重みを与える形状と
なる為そのゴミ箱１全体重量配分を底面下方部に傾けることによりそのゴ
ミ箱１は少しの衝撃で転倒しにくい安定性のある形成となりそれぞれ示す
安定性をまとめるとまずゴミ袋開口縁を留めることによる該開口縁が取れ
てしまいそのゴミ袋内のゴミ重量が傾きやすいことを防ぐ安定性、その底
面湾曲面を介してゴミ重量が中央部にいきやすい安定性、その底内側湾曲
面と外側面のそれぞれ異なる形状面の統合重量による安定性となりそれぞ
れ安定性は関連させ該安定感の得られる方向に向かうものとなりまた一例
となるがその星５つで示す底面肉厚が増す部材原料集固率を高めることに
より丈夫な補強底面部２となり尚該補強はそのゴミ箱１内側４５面に角を
有すことない滑らかな補強面となり細かい塵の詰りをなくすものへと向上
化させるものとし尚そのゴミ箱１に係る上面開口周部１９または外側周面
６に少なくとも一か所以上のゴミ袋開口部縁を留める為の該留め手段１０
を介する形状部の一例としてまずその中央図から右墨矢印や下墨矢印に沿
うそのゴミ箱１開口周部１９を仮に下方部が開放するコの字形状もしくは
Ｕ字形状等のその開口周部１９から曲がる曲部１３を形成するものとなり
該曲部を利用してそのゴミ袋の開口縁を留めるその曲部中央一か所に該留
め手段１０となる切り込み５７を設ける形成となりその該形成の使用一例
としてまずその切り込み５７にそのゴミ袋開口縁一部を差し込み該差し込
む開口縁を左右同時に引き広げることによりそのゴミ袋は係止されるもの
となりまた形成事例となるがその底面湾曲部と外側部３を離間して形成し
てもそれぞれの面が合わさることによりそのゴミ箱に係る下方部に重みを
与え安定感を与えることができるようになる。
【００６７】
図２（ａ）は前記底面部２と外側部３の中間を離間させ空洞室５３を設
けると共に前記外側部３に孔５４を形成し、該孔５４に開閉可能な蓋５５
を設けたことを特徴とすることを示しそのゴミ箱１下方部に係る底面部２
と外側部３の中間を離間させ空洞室５３を設けると共に前記外側部３に孔
５４を形成し、該孔５４に開閉可能な蓋５５を設けたことによりその外側
部３の孔５４に係る蓋を開け取ることにより該孔５４からその底面下の空
洞室５３にそのゴミ箱１に係る必需品等を収納して置くことができる空間
部とし尚それぞれの収納重量比によりそのゴミ箱１下部方向に該重量比率
に比例して重みを与えそのゴミ箱１の転倒を防ぎやすく且その必需品を使
用したい時にすぐ取り出せるものとし仮に必需品等を取りだす孔５４は底
外側部となる外面底で記すこととなるが該孔５４はそのゴミ箱１に係る外
側周面６にも形成することができ尚仮にそのゴミ箱１が円柱状またはほぼ
円柱状で形成する場合その孔５４部分に掛る外側周面６を円状面から平面
に変え且その空洞室５３を底面四角形状と上面が開放する四角形状のそれ
ぞれの形状に伴う多面空間容器で形成してその必需品等を整理しやすい形
成としてもよいとし尚一例としてその空間部は容積を有す多面が囲う該容
積部となればどのような形で形成してもよいものとし更にそのゴミは使用
用途場所によりそれぞれの収納一例を示しまず車等で使用する場合雑巾複
数枚と水ボトルを収納することにより少し埃が目立つ時にそれぞれを取り
だし掃除ができるものとしまた部屋の一般ゴミ箱１として使用する場合そ
の空洞室５３に箒、スポンジ、雑巾等を一例としてあげるが好みとする任
意の収納物が入れることができる空間部としまたその孔５４に蓋を閉める
ことにより通常のゴミ箱１として使用できものとなり（ｂ）は前記空洞室
５３に係る外側周面６に孔５４を設けたことを特徴とするまたは前記外側
周面６に係る孔５４にゴム栓５６を着脱可能に設けると共に該ゴム栓５６
の側面中央部に係るように少なくとも一つ以上切り込み孔５７を設けたこ
とを特徴とするそれぞれを示し仮にその空洞室５３に係る外側の孔５４の
大きさの一例として手全体がすっぽり入る大きさやまた仮にその空洞室５
３内にゴミ袋をたたんでまたはガサツに買い物袋等を出し入れしやすい任
意大きさで形成すればよいものとなりまたその孔５４にゴム栓５６を着脱
可能に設けることにより空洞収納物を見えなくするものとして清潔感を与
え仮にそのゴミ栓５６の側面中央部に係るように少なくとも一つ以上切り
込み孔５７を設けるその該一つの切り込み孔５７の一例としてその空洞室
５３に複数枚が繋がり重なるゴミ袋を設け該ゴミ袋複数層の上層部一枚の
外周端部角をそのゴミ箱１内部からその一つの切り込み孔５７に外部に向
けて差し込むことによりその外周端部角はその空洞室５３内部から外側周
面６から突出する為該突出部をその外部から引き向くことによりそれぞれ
繋がるゴミ袋をその切り込み孔５７部分で切り離すことができるものとし
またその孔５７を複数の孔５７として形成するそのゴム栓５６中央部に係
るそれぞれの孔５７により該孔５７に手を差し伸べ差し込むことによりそ
のゴム栓５６側面は徐々に孔に近づく形に変えその空洞室５３内に収納物
の出し入れがスムーズに行えるものとし尚そのゴム栓５６部の一例として
着脱可能な蓋となれば樹脂で形成する、該樹脂を高硬度な部材や低硬度な
部材で強化する、複数層で形成する等がある。
【００６８】
図３の（ａ）は前記切り込み５７をゴム栓５６の中央部でそれぞれの線
が交わるプラス形７４で形成したことを特徴とすることを示しそのゴミ
箱１の下方部となる空洞室５３に係る物を出し入れする為の孔に係るゴ
ム栓５６側面の切り込み５７をそれぞれの線が中央部で交わるプラス形
７４で形成することにより該プラス孔を経てその切り離すことのできる
複数枚のゴミ袋を一枚ずつ切れやすいものとすると共にそのゴミ袋外周
角を内側からその孔を経て外部へ掛けやすいものとし仮にそのゴム栓部
は樹脂等のような硬い部材であってもそのゴミ袋は取れるが該ゴミ袋は
軟らかい為切れやすいものとなり適度な硬さであればよいものとなりそ
のゴム以外でもよいものとなり軟質部材の硬度から樹脂硬度以下の任意
の硬度部材を選択できるものとし（ｂ）は前記空洞室５３に複数のゴミ袋
５８を設け、それぞれの該ゴミ袋５８を切り離す手段５９を介して繋げ山
折６０谷折６１のそれぞれを交互に重ね収納したことを特徴とすること
を示しそのゴミ箱１にはゴミ袋５８を使用する人が多い為必要必需品と
いえてそのゴミ箱１に係る空洞室５３に複数のゴミ袋５８を切り離す手
段を介して繋げ山折６０谷折６１のそれぞれを交互に重ね収納したこと
によりまずその山折６０谷折６１で収納するということは支軸や難解な
それぞれのゴミ袋５８を収納する為の形状化を考えることなくその空洞
室５３に入れるだけで袋を取り出しが行える為簡易に形成ができコスト
を抑えることができるものとなり仮にそれぞれのゴミ袋５８収納一例と
してその複数枚のゴミ袋５８を支軸を介して巻きとる形成があり仮にそ
の山折６０谷折６１からなるゴミ袋の収納面積に比例してその空洞室５
３内に該ゴミ袋５８を囲う枠を形成してそれぞれのゴミ袋５８がずれな
いようにしてもよいものとし尚そのゴミ袋３８面積がその空洞室５３に
対し大きい場合該ゴミ袋５８をたたんで収納してもよいものとしまたそ
れぞれのゴミ袋５８が積み重なる重さはそのゴミ箱１が持ち易い枚数を
個々で規定し重量釣り合いを取るとよいものとしまた人それぞれゴミ袋
５８の収納方法には個人差がある為そのゴミ袋５８形成は別形成として
がさつに買い物袋を入れる為の空洞室５３のみを形成してそれぞれの人
に対応できる形成してもよいものとなりしかしその専用ゴミ袋５８の面
はそのゴミ箱１の容積に対応した該袋となる為そのゴミ袋５８の大きさ
に迷うことなく消費者は購入できるものとし（ｃ）は前記開閉可能な蓋５
５を上面を開放する容器６２とすると共に前記外側部３に係る孔５４を
外側周面６として形成し該孔５４から前記容器６２を着脱可能且該容器
６２の中央外周面７０にフック形状凹み溝６４を形成すると共に前記容
器６２と筒状８を係止手段を介して該容器６２を筒状８に留めることを
特徴とすることやまた前記係止を弾性手段を介する少なくとも一つ以上
の凹凸６９を前記容器６２と筒状８に振り分け形成し該凹凸６９で係合
させ留めることを特徴とするそれぞれを示しそのゴミ箱１の空洞室５３
に係る該空洞室５３に必需品またはゴミ袋５８等を収納且取り出す為の
孔５４に係る開閉可能な蓋５５を上面を開放する容器６２に置き換え規
定し該容器６２をその孔５４から着脱可能に形成することによりそのゴ
ミ箱１下方部に係る空洞室５３内に収まる着脱可能な引き出しとなり尚
その容器６２の中央外周面７０にフック形状凹み溝６４を形成したこと
によりその凹みに手を掛けその容器６２は引き出しやすくなりその必需
品等の収納または使用がスムーズにできるものとし更にその凹む溝によ
り邪魔にならない取手３８となりまたその容器６２と筒状８を係止手段
を介して該容器６２を筒状に留める為その箱は係止によりそのゴミ箱１
を持ち上げても取れないものとなり尚その係止を弾性手段を介する少な
くとも一つ以上の凹凸６９を前記容器６２と筒状８に振り分け形成し該
凹凸６９で係合させ留める為その弾性手段部材の伸縮により該係合を行
えるものとしまた一例として仮に凹部状をその筒状８に係る孔５４周部
全体に形成すると共にその該孔５４周部全体の凹部に係るようにその容
器６２の前面７１周部全体に弾性体の凸部突起を設けることによりそれ
ぞれの凹凸部で防水可能な容器６２形成ができるものとなる。
【００６９】
図４の（ａ）は前記留め手段１０を筒状８に係る外側周面６から離間する
ように上面開口周部１９の少なくとも一部から下方向に曲がる曲部１３を
与える形成としたことを特徴とすることを示しその留め手段１０を筒状８
に係る外側周面６から離間するように上面開口周部１９の少なくとも一部
から下方向に曲がる曲部１３を与える形成とすることによりその曲がりを
利用してゴミ袋開口縁を留めること且取手３８となりそのゴミ箱１使用面
に繋げていくものなり（ｂ）は前記曲部１３の中央部または該曲部１３に少
なくとも一つ以上の切り込み５７を入れたことを特徴とすることを示しそ
のゴミ箱１開口周部に係る曲部１３に少なくとも一つ以上の切り込み５７
入れたことによりその曲部１３の中央部に単数の切り込み５７を入れるこ
とによりまず使用一例としてその切り込み５７にゴミ袋開口縁の一部を差
し込み次にその曲部１３の内側となるその一部縁を左右同時に広げること
によりそのゴミ袋開口縁を簡単に取り付けることができまたその曲部１３
は複数個所に形成してもよいものとする為該複数個所となるその曲部１３
に係る切り込み５７を利用して雑巾を干すことや変え袋の取付けまたは放
棄や塵取り等となるそれぞれ使用者好みの部材を留めることができ（ｃ）は
前記切り込み５７縁を該切り込みを残すように防水性を有す伸縮可能な手
段６８を介して形成したことを特徴とすることを示しそのゴミ箱開口縁に
係る曲部１３の切り込み５７縁を防水性を有す伸縮可能な手段６８を介し
て形成したことによりその切り込み５７縁は伸縮する為該伸縮を介してそ
のゴミ袋開口縁を留めやすく係止しやすいものとしまた使用頻度の高い変えのゴミ袋や好みの部材を取り付けることができまたその伸縮部材は防水性を有す為そのゴミ箱１を水洗いしても該伸縮部材が水にぬれないものと
し仮にその伸縮部材の一例として仮に表面０．１ミリの軟らかく薄い樹脂シ
ートを被覆する発砲ゴム、多孔質部材に滑材を有する形成、複数層による防
水性を有す伸縮可能な手段、伸縮可能な部材に滑材を被覆する、滑材を伸縮
可能な部材の含有成分とする等があり尚その伸縮可能な手段を多孔質部材
として介す、柔軟部材を介す、弾性体を介す、伸縮可能な部材を介す等があ
りそれぞれの部材には防水性を与えるものいとなり（ｄ）は前記切り込み５
７に着脱可能な箒７２を設けたことを特徴することを示しその切り込み５
７に着脱可能な箒７２を設けたことにより該箒７２をそのゴミ箱１から取
り外し細かい塵等を該塵が舞う度にスムーズに掃除を行える便利な形成と
なる。
【００７０】
図５の（ａ）は前記切り込み５７を孔３２として形成したことを特徴と
することを示しそのゴミ箱１開口周部に係る曲部１３側面となる切り込み
５７を孔３２として形成することによりその孔３２にゴミ袋を差し込み該
ゴミ袋開口縁を簡単に留めることができまたその孔３２を複数として形成
することによりその曲部１３に係る孔３２の外側面から且内側にかけてそ
のゴミ袋開口一部縁を差し込みその内側となる一部縁をもう一方の孔３２
からその外側面に向けて差し返すことによりそのゴミ袋開口縁は係止しや
すい形成とし尚その孔３２周部縁に伸縮部材を介す形成とすることができ
る為該周部縁の伸縮作用効果を利用してゴミ袋が簡易に留めることができ
るものとしまた仮にその孔を手の大きさを考慮し仮に１．５ミリ幅で形成
することによりその伸縮部材の係る孔３２にそれぞれの四本指で該孔に係
るゴミ袋開口縁をワンプッシュで簡単に留めることができ（ｂ）は前記曲
部１３の内側に指をかけやすい波状４７凹凸で形成する取手３８としたこ
とを特徴とすることを示しその取手３８となる曲部１３の内側に指をかけ
やすい波状４７凹凸で形成する取手３８としたことによりその取手３８を
持つ手が滑りにくくなりゴミ箱１に係る工程をスムーズに行えるものとし
仮にその波状４７は等間隔で形成するまたは手が係りやすい不規則に形成
してもよいものとしまた仮にその取手３８の内側形状に伴う外側形状とし
てもよいものとし（ｃ）前記取手３８の少なくとも一部に防水性を有す軟
質部材６７を設けたことを特徴とすることを示しその取手３８に防水性の
軟質部材６７を設けることによりその取手３８硬さを感じことなく持つ手
に違和感を与えにくいものとしまたその軟質部材の防水性によりそのゴミ
箱１を洗浄してもその軟質部材に水が残りにくいものとしその軟質部材の
一例として少し固めを望むなら表面に防水性を与えるウレタンゴムがよい
ものとなりまた少し軟らかめを望むので有れば表面に防水性を与える発砲
ゴムがよいものとなり尚その他その軟質部材を多孔質部材とする、柔軟部
材とする、弾性体とする、伸縮可能な部材とする等がありそれぞれの部材
には防水性を与えるものとなる。
【００７１】
図６の（ａ）は前記底外側部３面積に対し上面開口面積を広くして筒状８
を形成したことを特徴とすることを示しその底外側部３面積に対し上面開
口面積を広くする筒状８とすることによりその広い上面開口部によりその
ゴミ箱１底面内部等を洗浄しやすいものとし（ｂ）は前記筒状８の内側の少
なくとも一部に滑材３５を有すことを特徴とすることを示しその筒状８の
内側の少なくとも一部に滑材３５を有す形成によりそのゴミ箱１底面内部
湾曲形成に伴う洗浄且清潔面を保てる形成となりまた一例としてその滑材
３５を亜鉛または酸化亜鉛、セラミック、ウレタン膜、光触媒、弗素、トル
マリンまたは電解物質、該物質を電解鉱石、ガラス繊維による滑度、金属に
よる滑度等がありそれぞれの部材または部剤を塗布する、混合する、シート
系を被膜する等のそれぞれの設け方がありまた図示はないが一例としてそ
のゴミ箱に抗菌剤また抗菌材を有する形成としてもよいものとなりその滑
材３５の部材によって抗菌または防カビ作用を含む部材もあり（ｃ）前記取
手３８サイドからほぼ付近の離間部に少なくとも一つ以上のフック７３を
設けたことを特徴とすることを示しその取手３８サイドからほぼ付近の離
間部に少なくとも一つ以上のフック７３を設けたことによりそのフック７
３突出部は取手３８突出サイドとなる為邪魔になりにくいフック７３部分
となりそのゴミ箱１は生活空間において身近にありやすい部材とする為そ
のフック７３に使用品度の高い好みの部材を掛けておくことができその掛
ける部材の一例として箒や車のカギまたはそのゴミ箱１専用の洗浄スポン
ジ等を掛けられることもでき尚そのフック７３を着脱可能に形成してもよ
いものとし（ｄ）は前記底面中央部３０または前記筒状８の下方部３１に孔
３２を設けると共に該孔３２を開閉可能な防水手段を介する蓋３３を着脱
自在に設けたことを特徴とすることを示しそのゴミ箱１に係る底面中央部
または前記筒状８の下方部３１に孔３２を設けると共に該孔３２を開閉可
能な防水手段を介する蓋３３を着脱自在に設けたことによりその蓋３３を
ゴミ箱１の下方部３１となるその孔３２から取り外すことにより該ゴミ箱
１の底面内部等を洗浄し且その孔３２から水が流せる形成とする為その洗
浄水が溜まることなくその洗浄を簡易的にできるものとしまた一例形成と
してその蓋肉厚と該蓋を設ける側面肉厚のそれぞれをほぼ同じ肉厚とする
ことにより邪魔になりにくい蓋となり尚その蓋の側面または周部に突出部
を設けることにより該突出部からその蓋が取りやすくなるものとし（ｅ）は
前記防水を介する蓋３３をゴム４３としたことを特徴とすることを示しそ
の防水を介する蓋３３をゴム４３とすることにより該ゴム４３の伸縮作用
性を利用して防水しゴミ液体の流出することを防ぐものとしそのゴム４３
部一例として弾性体で形成するまたは伸縮可能な部材等があり（ｆ）は前記
底面外側部３を角形１５としたことを特徴とすることや前記筒状８を多面
体２７としたことを特徴とするそれぞれを示しその底面の角形１５や筒状
８を多面体２７で形成することにより安定感の得られやすい形成となり（ｇ）
は前記多面体２７をそれぞれの面が合わさる内側コーナー部４９を中央部
から外側に向かって湾曲２６させ形成したことを特徴とすることを示し特
にその多面体２７は安定感を得られるがそのコーナーなる角を多く有す為
その内側コーナー部４９を中央部から外側に向かって湾曲２６させること
によりゴミの目詰りをなくすと共に洗浄をしやすい曲線湾曲２６形状とし
尚その内側湾曲２６形状とその多面体２７からなる外側２９コーナー形状
のそれぞれの異なる形状の合わさりによる厚目な肉厚部を形成することに
より耐久性が増す部材することができ仮にそのコーナー肉厚部や底面肉厚
部をそのゴミ箱１と異なる部材でそれぞれの湾曲部を形成してもよいとする。
【００７２】
図７の（ａ）は前記底面外側部３を円形１７で形成したことを特徴とす
ることを示しそのゴミ箱１からなる筒状８の底面外側部３を円形１７で形
成することにより角が無く安全なすっきりとしたゴミ箱ができ（ｂ）は前
記底面外側部３を楕円体１６で形成したことを特徴とすることを示しその
筒状８からなる底面外側部３を楕円体１６で形成することによりデスク脇
やタンス脇等に入りやすい形状とすることもできまた滑らかな円状に近い
楕円体１６形成も可能となり（ｃ）前記ゴミ箱１のそれぞれの方向幅から
なる該幅の一方向を長くしたことを特徴とするその長さにはその筒状８に
係る仮に平面設置部に底面外側部３の少なくとも一部を接触させ置いた状
態を基準にそのゴミ箱１の縦幅、横幅、高さ幅、斜め幅、曲線幅によるそ
れぞれの長さがあり該長さによりゴミ箱１の容積は増しゴミの容量を確保
できるものとし（ｄ）は前記底面部２またはそれぞれのコーナー２６の少
なくとも一つを最も厚い肉厚部５１とすることを特徴とすることを示しそ
れぞれの部分を最も厚い肉厚部５１とすることによりそのゴミ箱１はその
厚い肉厚部により補強耐久度が増すものとなり壊れにくいゴミ箱１形成と
なりその肉厚の厚みに伴いゴミ箱１重量は自由に調整することが可能とな
りまた一例としてその肉厚部に係る外側部３と内側底面部２のそれぞれの
側面中間部を離間して形成し該離間部にそれぞれの側面を支える少なくと
も一つ以上の架橋部を形成してもよいものとなり（ｅ）は前記筒状８を前
記底面外周端部から同一方向またはほぼ同一方向に立ち上がる少なくとも
一つ以上の外側周面６を有すことを特徴とすることを示し仮にその底面が
下部とするその図を平面視と規定しその底面外周端部から立ち上がる外側
周面６方向を同一方向またはほぼ同一方向とすることによりその高さ方向
視直線で形成、斜線で形成、曲線で形成等があり仮にそのゴミ箱１底面積
に対し上部開口面積を、多く形成する、同一で形成する、または少なく形
成する等があり（ｆ）は前記留め手段１０をゴミ袋開口縁を挟み込む部材
３９としたことを特徴とすることを示しその留め手段１０をゴミ袋開口縁
を挟み込む部材３９とすることによりその開口縁は該挟む経緯形状により
そのゴミ袋開口縁を取れにくいものとし尚その挟み込む部材の一例として
仮には挟み込む部材の挟む面を一面とし該面とそのゴミ箱に係る部分を接
し合わせそのゴミ袋開口縁を留めてもよいものとし尚その挟む面は複数面
形成してそのゴミ袋開口縁をそれぞれの面で挟むもしくはそれぞれの面を
それぞれのゴミ箱に係る部分に接し合わせてもよいものとなる。
【００７３】
図８の（ａ）は一例形成となるが前記留め手段１０を前記上面開口周部
に少なくとも一つ以上の磁気を有す部材が付着可能な部材２０を有し、該
部材と着脱可能な磁石１４を有す蓋２２を設け前記付着可能な部材２０と
磁石１４を固定手段を介して設けたこと特徴とすることを示しその開口周
部に磁気を有す部材が付着可能な部材２０を設け該付着可能な部材２０と
着脱可能な磁石１４を有す蓋２２を設けることによりそのゴミ箱１からな
る筒状８の上面開口部はその磁力なるそれぞれの部材の当接引きあいとす
る為蓋の開け閉めが簡単に行うことができ仮にその磁気を有す部材が付着
可能な部材２０を金属１２とすることができまた仮に一例となるがそれぞ
れの箇所に設けられる磁石１４と金属１２は該蓋２２に金属１２を設け尚
その上面開口周部に磁石１４を設けることもでき（ｂ）は一例形成となる
が前記開口部７に着脱可能な蓋２２を有すことを特徴とすることを示しそ
のゴミ箱１に係る筒状８の上面から蓋２２を着脱可能とすることによりそ
のゴミ箱１は内部を洗浄しやすい形成とすると共にそのゴミ箱１に係る上
面開口部７を閉めることによりゴミによる臭いを防ぐものとし仮にゴミ箱
１を洗浄する際にその蓋２２を冷蔵庫やまたそのゴミ箱１周面等に着脱可
能として形成してその蓋２２があることによるその洗浄を妨げることを防
ぐ形成としてもよいものとし（ｃ）は形成一例となるが前記蓋２２の少な
くとも一部に開口部２３を有すことを特徴とすることを示しその蓋２２の
上面積に対し開口面積の割合を調整することによりゴミからなる臭いを遮
断し且その開口部２３からゴミが捨てられる形成となり仮にその開口部２
３は複数として形成することもできまたその開口部２３の形状は円とする、
角形とする等があり尚その形状はゴミ箱１底面外側部３との形と同一とす
るまたは異なる形成もでき（ｄ）は形成一例となるが記蓋２２の少なくと
も一部に開口部２３となる該開口部２３を開閉可能な蓋２４を設けたこと
を特徴とすることを示しその蓋２２の開口部２３を開閉可能な蓋２４を設
けたことによりそのゴミ箱１内の臭いを遮断すると共にその蓋２２の開閉
によりゴミを捨てられるものとし仮にその蓋２２を該蓋２２の中心に軸を
設け該軸を開口周部に取り付けることにより回転可能な蓋２２とすること
もでき（ｅ）は前記留め手段１０を筒状８の外側周面６に少なくとも一つ
以上の磁気を有す部材が付着可能な部材２０を設ける共に該付着可能な部
材と着脱可能な磁石１４を設けたことを特徴とすることを示しそのゴミ箱
１に使用するゴミ袋開口縁を留める該留め手段１０を筒状８の外側周面６
に少なくとも一つ以上の磁気を有す部材が付着可能な部材２０を設け、該
付着可能な部材と着脱可能な磁石１４を設けたことによりゴミ袋の大きさ
に応じてゴミ袋開口縁を留めることができ仮にその磁石１４や該磁石が付
着可能な部材のそれぞれを複数層で形成する方法があり該方法の一例とし
てそれぞれ部材に樹脂等で薄膜を被覆することにより劣化しにくいまたは
汚れにくい部材形成となり尚仮にその磁石１４が付着可能な部材を金属１
２とし該金属１２形成をそのゴミ箱に係る底面を平面上に置いた状態を基
準にそのゴミ箱１に係る高さ方向に長い形成として形成し該形成なる長さ
部面をその磁石１４と接触する部分を減らす磁石の移動部４２を形成して
該磁石１４を移動しやすい形成とすることやまたその金属１２より肉厚の
あるレール１２を形成してその磁石１４を限られた方向に移動しやすい形
成としてもよいものとし（ｆ）は前記付着可能な部材と磁石１４をそれぞ
れの一側面が重なり合い当接する凹凸形状４６で形成したことを特徴とす
ることを示しその付着可能な部材と磁石１４を凹凸で重ね合わせることに
よりそれぞれの部材はその設ける箇所からずれることなくそのゴミ袋開口
縁を留められるものとしまたそれぞれの当接間にあるゴミ袋開口縁はその
ゴミ袋を引き抜いても位置をずらすことなく簡単に取れるものとなる。
【００７４】
図９の（ａ）はそのゴミ箱１形成は該ゴミ箱１をいかに簡易形成とする
かという点を重視する一例形成となりその筒状８に係る開口周部を突起４
０または該周部から下方向がる曲部１３を与えるどちららか一方で形成し
たことによりそれぞれの形成によりそのゴミ箱１を持ち易くし且洗浄しや
すいものとし仮にその底面部２に係る肉厚は自由に厚みを変えることがで
き尚そのゴミ箱１は仮に店頭に並ぶ場合消費者が一番知りたいことはその
ゴミ箱１は何リットルのゴミ袋に対応できるのかという解りやすい確実な
明記をすることにより迷うことなくゴミ袋も同時に購入できるものとなり
（ｂ）から（ｆ）は全て形成一例となるがその（ｂ）は極力角を有さない
ゴミ箱１を制作して、より安全に消費者が使用できるようにそのゴミ箱１
に係る開口周部を丸めたことを示しその開口周部端を丸めることにより見
た目は柔らかになると共に小さい子供等の転倒による大怪我等を少しでも
減らしていくことができるものとし（ｃ）はそのゴミ箱１上面開口面積に
対し底外側部面積を広く形成したものとしそのゴミ箱１は転倒しやすい筒
状８とする為その底面幅を広めに形成することにより倒れにくいゴミ箱１
ができ尚その広くした部分もしくはその通常広さの底面部にゴミ箱１とは
異なる部材によりそのゴミ箱１に重みを与えることができ（ｄ）はそのゴ
ミ箱１に係る外側周面６のコーナー５０一例を示したものとなり仮に該コ
ーナー５０を直角部を丸めるよう緩やかな曲線で形成することにより角が
無くなる為該角による小さい子供の大怪我の防止するものとなりまたその
曲線は角のたたないすっきりした形状に見えるようになり尚そのゴミ箱１
に係る底面外側部３と該底面外周端部から立ち上がる外側周面６となるそ
のコ−ナー５０部をそれぞれ示す曲線にしてもよいが該コーナー５０を直
角に近い形成とすることによりそのゴミ箱１は該直角なる角を介して転倒
しにくい形成とすることもでき仮にそのゴミ箱１に係る外側形状と内側形
状は同一形状とするまたは異なる形状としてもよいものとし（ｅ）ゴム４
３をその底面外側部３に少なくとも一つ以上設けることによりゴミ箱１を
置くときは静かに置けまたフローリング等を傷つけることなく使用できま
たその底面外側部３はそのゴム４３側面により大幅に摩擦設置力が高まる
為そのゴミ箱１が移動しにくいイコール転倒しにくい形成となり尚その底
面外側部に設ける部材はそのゴミ箱より軟らかい部材であればよいものと
しまた図示はないが一例としてそのゴミ箱１は特に外側より内側に係る少
し目立つ絵柄や顔料で着色する色をつけることによりその絵柄の際立ち感
をレベル６としゴミの不快感をレベル４とするとその不快感はその絵柄に
押し負けて綺麗と思えるゴミ箱形成もできまたその外側面には絵柄、凹凸
柄、または顔料で着色してもよいがそのゴミ箱１外側周面６に添う着脱可
能なカバーを設け形成してもよいものとなり仮にそのカバーのデザインの
一例としてかわいい動物形にする、花柄デザインを加えるまたは中間近似
色の使い分けや青と一部白のラインのようにシンプル柄のゴミ箱を提供し
てもよいものとなり別売り等で提供しても良いものとなりまたそのゴミ箱
１底面内部に着脱可能な洗浄できる防水部材からなるメッシュ袋の中に少
なくとも一つ以上の臭いや細菌を吸着可能な部材を設けてもよいものとし
またそのメッシュからその臭いや細菌を吸着可能な部材を取り外すことが
可能な形成とすることによりその臭いや細菌を吸着可能な部材を洗浄する
と共にそのメッシュは防水加工な為簡単に水洗いができるものとなり尚そ
の臭いや細菌を吸着可能な部材を墨またはセラミックボール等の多孔質部
材を用いることによりそれぞれの害とする物質を吸着しやすいものとなり
尚それぞれの形状は仮に球形状が洗浄しやすいものとなりまたそのメッシ
ュからその臭いや細菌を吸着可能な部材を取りだす一例としてそのメッシ
ュにファスナーを設ける、孔の入り口を有す様にそのメッシュを互い違い
に重ねる形成、その孔を塞ぐ為のボタン留め、その孔を塞ぐ為の面ファス
ナー等がありその孔を塞ぐ形成は該塞ぐ為の手段を介する部材であればど
のような形成でもよいものとし尚そのメッシュは仮にそのゴミ箱１内部の
ように少し際立つ色または柄等をつけて形成することによりゴミ箱１内部
は人が覗き込んでもいつも清潔に見える且清潔なゴミ箱１ともなり尚その
防水可能な部材を樹脂として形成してもよいものとしまた形成一例となる
がそのゴミ箱１に係る形成を金属製、樹脂製、木製の何れかで形成しても
よいとしまたそれぞれの部材をゴミ箱に用いて複数で組み合わせ形成する
こともでき尚繊維をその組み合わせの一環として形成することもできまた
その樹脂を熱可塑性樹脂として形成することも可能となり仮にそのゴミ箱
底面内部に着脱可能なその底面部を汚さない為の手段を介して形成しても
よいとし古風なゴミ箱も捨てがたいものとなるがそのゴミ箱をインテリデ
ザイン化することは人が感じる感性を高めるものとなり仮に一例としてそ
のゴミ箱１に係る上面開口部７をそのゴミ箱１の少なくとも一部分として
筒状８の外側周面６等に形成することやまたその開口部を複数として形成
することも可能となり尚その開口部はゴミを捨てる為の開口部、そのゴミ
箱に少なくとも一つ以上の小筒を取りだす為の開口部等がありそれぞれの
開口部に開閉可能な蓋を設けてもよいものとなりまたそのゴミ箱１を伸縮
等の形成として折りたたみが可能な形成としてもよいものとなりまたその
ゴミ箱１に係る外側部と内側部のそれぞれに係る形成を個々に作成しそれ
ぞれをパズルのように固定手段または固定部材を介して組み合わせ形成し
てもよいのもとし該形成の一例としてその内側に係る湾曲底面部２を筒状
８にはめ込む方法がありまたそのごみ箱内に着脱可能な少なくとも一つ以
上の小筒を設け該小筒の内側底面部を中央部から外側部に向かって湾曲さ
せてもよいしまた図示はないがその小筒はそのごみ箱形系に係る同一形成
もしくは同一部材を使用してもよいしまた仮に前記取手はそのごみ箱周面
または上面開口部から突出するに肉厚を有する形成であればどのような形
成でもよいとし尚その取手の一例としてその外側周面に孔を設ける取手ま
たはそのごみ箱部材と異なる部材を使用してもよいとする。
【符号の説明】
【００７５】
１  ゴミ箱
２  底面部
３  外側部
４  湾曲
５  肉厚部
６  外側周面
７  開口部
８  筒状
９  クリップ
１０  留め手段
１１  水洗い可能粘着シリコン
１２  金属
１３  曲部
１４  磁石
１５  角形
１６  楕円形
１７  円形
１８  長円形
１９  開口周部
２０  磁気を有す部材が付着可能な部材
２１  固定手段部
２２  蓋
２３  蓋の開口部
２４  蓋開口部に係る開閉可能な蓋
２５  軸
２６  コーナーの湾曲
２７  多面体
２８  面
２９  外側
３０  底面中央部
３１  筒状の下方部
３２  孔
３３  防水手段を介する蓋
３４  最高肉厚部
３５  滑材
３６  小筒
３７  ゴミ箱の内側
３８  取手
３９  挟み込む部材
４０  突起
４１  レール
４２  磁石の移動部
４３  ゴム
４４  中央部
４５  内側
４６  凹凸形状
４７  波状
４８  伸縮可能な部材
４９  内側コーナー部
５０  コーナー
５１  最も厚い肉厚部
５２  離間部
５３  空洞室
５４  外側部の孔
５５  外側部の孔に係る開閉可能な蓋
５６  ゴム栓
５７  切り込み孔または切り込み
５８  ゴミ袋
５９  切り離す部分または切り離す手段
６０  山折
６１  谷折
６２  容器
６３  上面
６４  フック形状凹み溝
６５  弾性体
６６  取手の内側
６７  軟質部材
６８  防水性を有す伸縮手段
６９  弾性手段を介する凹凸
７０  中央外周面
７１  全面
７２  箒
７３  フック
【図１】
0003199589.tif 000003
【図２】
0003199589.tif 000004
【図３】
0003199589.tif 000005
【図４】
0003199589.tif 000006
【図５】
0003199589.tif 000007
【図６】
0003199589.tif 000008
【図７】
0003199589.tif 000009
【図８】
0003199589.tif 000010
【図９】
0003199589.tif 000011
【手続補正書】
【提出日】平成27年6月25日(2015.6.25)
【手続補正１】
【補正対象書類名】実用新案登録請求の範囲
【補正対象項目名】全文
【補正方法】変更
【補正の内容】
【実用新案登録請求の範囲】
【請求項１】
上面開口部（７）と底面部（２）とからなる筒状（８）のゴミ箱（１）
において前記底面部（２）を中央部（４４）から外側部（３）に向かって
湾曲（４）させ形成すると共に前記上面開口周部（１９）または外側周面
（６）に少なくとも一か所以上のゴミ袋開口部縁を留める為の該留め手段
（１０）を介する形状部を有すことを特徴とするゴミ箱。
【請求項２】
前記底面部と外側部の中間を離間させ空洞室を設けると共に前記外
側部に孔を形成し、該孔に開閉可能な蓋を設けたことを特徴とする請
求項１記載のゴミ箱。
【請求項３】
前記空洞室に係る外側周面に孔を設けたことを特徴とする請求項２記
載のゴミ箱。
【請求項４】
前記外側周面に係る孔にゴム栓を着脱可能に設けると共に該ゴム栓の
側面中央部に係るように少なくとも一つ以上切り込み孔を設けたことを
特徴とする請求項３記載のゴミ箱。
【請求項５】
前記切り込み孔をゴム栓の中央部でそれぞれの線が交わるプラス形で
形成したことを特徴とする請求項４記載のゴミ箱。
【請求項６】
前記空洞室に複数のゴミ袋を設け、それぞれの該ゴミ袋を切り離す手段
を介して繋げ山折谷折のそれぞれを交互に重ね収納したことを特徴とす
る請求項２乃至５のいずれか一項に記載のゴミ箱。
【請求項７】
前記開閉可能な蓋を上面を開放する容器とすると共に前記外側部に係
る孔を外側周面として形成し該孔から前記容器を着脱可能且該容器の中
央外周面にフック形状凹み溝を形成すると共に前記容器と筒状を係止手
段を介して該容器を筒状に留めることを特徴とする請求項２記載のゴミ
箱。
【請求項８】
前記係止手段を弾性手段を介する少なくとも一つ以上の凹凸を前記容
器と筒状に振り分け形成し該凹凸で係合させ留めることを特徴とする請
求項７記載のゴミ箱。    
【請求項９】
前記留め手段を筒状に係る外側周面から離間するように上面開口周部
の少なくとも一部から下方向に曲がる曲部を与える形成としたことを特
徴とする請求項１乃至８のいずれか一項に記載のゴミ箱。
【請求項１０】
前記曲部の中央部または該曲部に少なくとも一つ以上の切り込みを入
れたことを特徴とする請求項９記載のゴミ箱。
【請求項１１】
前記切り込み縁を該切り込みを残すように防水性を有す伸縮可能な手
段を介して形成したことを特徴とする請求項１０記載のゴミ箱。
【請求項１２】
前記切り込みに着脱可能な箒を設けたことを特徴する請求項１１記載
のゴミ箱。
【請求項１３】
前記切り込みを孔として形成したことを特徴とする請求項１０乃至１
２のいずれか一項に記載のゴミ箱。
【請求項１４】
前記曲部の内側に指をかけやすい波状凹凸で形成する取手としたこと
を特徴とする請求項９乃至１３のいずれか一項に記載のゴミ箱。
【請求項１５】
前記取手の少なくとも一部に防水性を有す軟質部材を設けたことを特
徴とする請求項１４記載のゴミ箱。
【請求項１６】
前記外側部面積に対し上面開口面積を広くして筒状を形成したことを
特徴とする請求項１乃至１５のいずれか一項に記載のゴミ箱。
【請求項１７】
前記筒状の内側の少なくとも一部に滑材を有すことを特徴とする請求
項１乃至１６のいずれか一項に記載のゴミ箱。
【請求項１８】
前記取手サイドからほぼ付近の離間部に少なくとも一つ以上のフック
を設けたことを特徴とする請求項１４記載のゴミ箱。
【請求項１９】
前記底面部の中央部または前記筒状の下方部に孔を設けると共に該孔
を開閉可能な防水手段を介する蓋を着脱自在に設けたことを特徴とする
請求項１乃至１７のいずれか一項に記載のゴミ箱。
【請求項２０】
前記防水手段を介する蓋をゴムとしたことを特徴とする請求項１９記
載のゴミ箱。
【請求項２１】
前記外側部を角形としたことを特徴とする請求項１乃至２０のいずれ
か一項に記載のゴミ箱。
【請求項２２】
前記筒状を多面体としたことを特徴とする請求項１乃至２１のいずれ
か一項に記載のゴミ箱。
【請求項２３】
前記多面体をそれぞれの面が合わさる内側コーナー部を中央部から外
側に向かって湾曲させ形成したことを特徴とする請求項２２記載のゴミ
箱。
【請求項２４】
前記外側部を円形で形成したことを特徴とする請求項１乃至２３のい
ずれか一項に記載のゴミ箱。
【請求項２５】
前記外側部を楕円体で形成したことを特徴とする請求項１乃至２４の
いずれか一項に記載のゴミ箱。
【請求項２６】
前記ゴミ箱のそれぞれの方向幅からなる該幅の一方向を長くしたこと
を特徴とする請求項１乃至２５のいずれか一項に記載のゴミ箱。
【請求項２７】
前記底面部またはそれぞれのコーナーの少なくとも一つを最も厚い肉
厚部とすることを特徴とする請求項１乃至２６のいずれか一項に記載の
ゴミ箱。
【請求項２８】
前記筒状を前記外側部から直線または斜線もしくは曲線となる同一方
向またはほぼ同一方向に立ち上がる少なくとも一つ以上の外側周面を有
することを特徴とする請求項１乃至２７のいずれか一項に記載のゴミ箱。
【請求項２９】
前記留め手段をゴミ袋開口縁を挟み込む部材としたことを特徴とする
請求項１乃至２８のいずれか一項に記載のゴミ箱。